(57)【要約】【課題】  前面基布と後面基布、及び前後面基布が接結された接結部よりなる肢体筒部材を有する経編筒編衣料において、リボン飾り等となる装飾部材を肢体筒部材に一体に形成できるとともに、この装飾部材を有用に利用可能とした構造及びその製造方法を提供することを目的とする。【解決手段】  ジャカード筬を備えたダブルニードル列経編機を用い、肢体筒部材の少なくても一部に装飾部材、例えば装飾紐部材を接結して編成し、編成後、経編筒編衣料となる一体化された肢体筒部材と装飾紐部材を編成生地から分離して一単位とし、装飾紐部材をリボン等に利用することができるようにしたもので、装飾紐部材については、肢体筒部材の一部に設けた孔部に挿通することで好適に利用できるようにした経編筒編衣料の構造とその製造方法を特徴とする。【選択図】  図１
2006200048.tif 000002
【特許請求の範囲】
【請求項１】
ジャカード筬を備えたダブルニードル列経編機により編成され、前面基布と後面基布、及び前後面基布が接結された接結部より構成してなる、少なくとも胴部、腕部、脚部などの体の一部を被覆するための肢体筒部材と、該肢体筒部材の少なくとも一部に接結して編まれた装飾部材からなる経編筒編衣料であって、該筒編衣料の製品化時において前記装飾部材をリボンなどの装飾紐部材として使用可能に構成してなる経編筒編衣料の構造。
【請求項２】
装飾部材が肢体筒部材の両側に並列して肢体筒部材と同方向に編まれた装飾紐部材であり、前記肢体筒部材には緯方向に設けてなる複数の孔部が設けられ、筒編衣料編成後、前記装飾紐部材の一方側を自由端となし、該装飾紐部材をその自由端の方から前記孔部に挿通して、両側の装飾紐部材の自由端相互を結べるように構成してなる請求項１に記載の経編筒編衣料の構造。
【請求項３】
筒編衣料は上着であり、該上着の肢体筒部材として、身頃部分と左右の腕部分を有するとともに、左右の腕部分の外方に各々２本ずつの装飾紐部材を有し、肢体筒部材上方の上下２列に設けた孔部列の間の肢体筒部材を折り返して、前記装飾紐部材を前記孔部に挿通可能に設けたことを特徴とする請求項２に記載の経編筒編衣料の構造。
【請求項４】
筒編衣料は上着であり、該上着の肢体筒部材として、身頃部分と左右の腕部分を有するとともに、身頃部分の左右に各々１本ずつの装飾紐部材を有し、肢体筒部材下方に設けた孔部列に前記装飾紐部材を左右端より挿通可能に設けたことを特徴とする請求項２に記載の経編筒編衣料の構造。
【請求項５】
筒編衣料はスカートであり、該スカートの肢体筒部材としての下肢被覆部分外方に、各々２本ずつの装飾紐部材を有し、肢体筒部材上方に設けた孔部列に前記装飾紐部材を左右端より挿通可能に設けたことを特徴とする請求項２に記載の経編筒編衣料の構造。
【請求項６】
ジャカード筬を備えたダブルニードル列経編機により前面基布と後面基布を左右の接結部にて接結編成して肢体筒部材を形成するとともに、該肢体筒部材の少なくとも一部に、装飾部材の一部を接結して編成して経編筒編衣料となし、該筒編衣料の製品化時において、前記装飾部材をリボンなどの装飾紐部材として利用することを特徴とする経編筒編衣料の製造方法。
【請求項７】
ジャカード筬を備えたダブルニードル列経編機により前面基布と後面基布を接結編成して肢体筒部材を形成するとともに、該肢体筒部材の少なくとも一部に接結して装飾紐部材を編成し、かつ、前記肢体筒部材の編幅方向に複数の孔部を配列編成して経編筒編衣料となし、該筒編衣料の製品化時において、前記装飾紐部材を自由端の方から前記孔部に挿通可能に、装飾紐部材、及び孔部を編成することを特徴とする経編筒編衣料の製造方法。
【発明の詳細な説明】
【技術分野】
【０００１】
本発明は、２列のニードル列を有する経編機を用い、前面基布及び後面基布と、これら両基布を部分連結編成することによる経編筒編衣料の構造とこの筒編衣料の製造方法に関する。
【背景技術】
【０００２】
従来から、少なくとも胴部、腕部、脚部などの体の一部を被覆するための肢体筒部材から構成される経編筒編衣料は、衣料分野において、特に経編無縫製衣料としてよく知られており、上着、ブラウス、パンツなどのアウターウエアーや、ショーツ、ガードル、タイツ、ストッキング、パンティストッキングなどのインナーウエアーなどの各種衣料品に広く利用されている。
【０００３】
例えば、特許第３２８６７８７号公報にその一例が示されており、２列のニードル列を有する経編機を用いて前面基布及び後面基布が個別に連続して編成されるとともに、衣料品としてシャツなどの形状の輪郭に合わせて、前面基布と後面基布が連結糸によって連結編成されることで筒編衣料が成形されるとともに、襟首部、腕部などについては前面基布と後面基布を離間して編成することで差し込み個所が形成され、編成後、前記輪郭部の外方に沿って切断することで個別の衣料品が製造されることになる。
【０００４】
又、特開２００１−１６４４４８号公報に示されるものは、上記経編無縫製衣料として代表的なシャツやパンツの製造において、着用した際に例えばシャツにおいては、胴部に繋がる袖部や、パンツにおいては、腰部分に繋がる脚部について、着用した際の窮屈さを解消するために、胴部と袖部の間や、腰部分と脚部の間に捨て部を設けて一体に編成し、編成後捨て部を切断除去するようにしたものである。
【特許文献１】特許第３２８６７８７号公報
【特許文献２】特開２００１−１６４４４８号公報
【発明の開示】
【発明が解決しようとする課題】
【０００５】
上記従来技術では、編成された無縫製衣料はいずれも確かにシャツ、あるいはパンツとして必要な機能は備えているものの、実際に着用した時点で、特にアウターウエアーとして用いた場合には、これら衣料の一部に巻き付けるためのベルトや、装飾のリボン等の装飾部材が必要な場合、別途準備すること必要があった。
【０００６】
本発明は、前面基布及び後面基布と、これら両基布を部分連結編成された経編筒編衣料において、編成後切断により製品化する際に、リボン、紐等の装飾部材を製品後に別途装着するのではなく、編成時に一体に形成してなる筒編衣料の構造、及びその製造方法を提供せんとするものである。
【課題を解決するための手段】
【０００７】
上記課題を解決するために本発明は、ジャカード筬を備えたダブルニードル列経編機により編成され、前面基布と後面基布、及び前後面基布が接結された接結部構成してなる、少なくとも胴部、腕部、脚部などの体の一部を被覆するための肢体筒部材と、該肢体筒部材の少なくとも一部に接結して編まれた装飾部材からなる経編筒編衣料であって、該筒編衣料の製品化時において前記装飾部材をリボンなどの装飾紐部材として使用可能に構成したものである。
【０００８】
又、本発明は、ジャカード筬を備えたダブルニードル列経編機により前面基布と後面基布を左右の接結部にて接結編成して肢体筒部材を形成するとともに、該肢体筒部材の少なくとも一部に、装飾部材の一部を接結して編成し経編筒編衣料となし、該筒編衣料の製品化時において、前記装飾部材をリボンなどの装飾紐部材として利用するもので、又、肢体筒部材に複数の孔部を設け、前記装飾紐部材を挿通可能にしたものである。
【発明の効果】
【０００９】
本発明の経編筒編衣料の構造によれば、装飾部材が肢体筒部材の一部に接結して編まれているので、編成後別途紐等の装飾部材を準備して装着する必要が無く、肢体筒部材の出来上がりと同時に装飾部材を飾り部として製品に付帯することができるので実用的であり、装飾部材の使い方によっては、種々のバリエーションに展開できるので製品の付加価値を高めることができる。又、本発明の経編筒編衣料の製造方法によれば、装飾部材を肢体筒部材と一体に接結編成するようにしたので、所望の経編筒編衣料が効率的に編成可能となり、又、前記製造方法に加えて、肢体筒部材の編幅方向に複数の孔部を配列編成するようにしたので、リボン等の装飾紐部材を肢体筒部材の適宜個所に挿通可能にすることができる。
【発明を実施するための最良の形態】
【００１０】
装飾部材が肢体筒部材の両側に並列して肢体筒部材と同方向に編まれた装飾紐部材であり、前記肢体筒部材には緯方向に設けてなる複数の孔部が設けられ、筒編衣料編成後、前記装飾紐部材の一方側を自由端となし、該装飾紐部材をその自由端の方から前記孔部に挿通して、両側の装飾紐部材の自由端相互を結べるようにしたので、装飾紐部材の機能が孔部の形成によって十分に生かされたものとなる。
【００１１】
筒編衣料は上着であり、該上着の肢体筒部材として、身頃部分と左右の腕部分を有するとともに、左右の腕部分の外方に各々２本ずつの装飾紐部材を有し、肢体筒部材上方の上下２列に設けた孔部列の間の肢体筒部材を折り返して、前記装飾紐部材を前記孔部に挿通可能に設けたことで、上着の首廻りの装飾が効果的にできるものとなる。
【００１２】
筒編衣料は上着であり、該上着の肢体筒部材として、身頃部分と左右の腕部分を有するとともに、身頃部分の左右に各々１本ずつの装飾紐部材を有し、肢体筒部材下方に設けた孔部列に前記装飾紐部材を左右端より挿通可能に設けたことで、上着のウエスト部の装飾が効果的になされる。
【００１３】
筒編衣料はスカートであり、該スカートの肢体筒部材としての下肢被覆部分外方に、各々２本ずつの装飾紐部材を有し、肢体筒部材上方に設けた孔部列に前記装飾紐部材を左右端より挿通可能に設けたことで、スカートのウエスト部におけるバンド飾りを効果的に付与させることができる。
【００１４】
次に本発明の実施例を図面に基づいて説明する。
【実施例１】
【００１５】
図１、図２、図３は、本発明の経編筒編衣料の構造の一実施例についての上着を示しており、編成は、図４に示すジャカード筬を備えた２列のジャカード筬を備えた２列のニードル列を有する経編機（ＲＤＰＪ６／２機）を用いて編成されたものである。
【００１６】
図１は編成時の生地状態を示す平面図、図２は編成後必要個所を分離した状態を示す平面図、図３は製品化時の斜視図である。１は前面基布であり、前部の編針列Ｆを用い、前部基布形成用地筬ＧＢ２及びジャカード筬ＰＪＢ３に通糸した編糸を用いて、編成を行う。同様に、紙面上では後方に隠れている同一形状の後面基布（２）については、後部の編針列Ｂを用い、後部基布形成用の地筬ＧＢ５及びジャカード筬ＰＪＢ４に通糸した編糸を用いて編成を行う。
【００１７】
以下に構造の詳細について説明を加えるが、基本的に前面基布１及び後面基布（２）の形態は同一であるので、後面基布部分の詳細な説明は省略する。図１において、３は身頃部分、４は右の腕部分、５は左の腕部分であり、これら各部分は、前面基布１及び後面基布（２）より構成され、身頃部分３、左右の腕部分４，５により肢体筒部材が形成されている。身頃部分３と、左右の腕部分４，５とは、編方向で連続する接結部分６，７によって分離形成され、身頃部分３の左右の縁部では、図４に示すジャカード筬ＰＪＢ３，４により導糸された編糸によって前面基布１と後面基布（２）が接結編成されて接結部分６，７が作られている。これにより、身頃部分３及び左右の腕部分４，５は空洞の筒編が形成される。８、９は、装飾紐部材であり、右の腕部分４の外方に位置し、それぞれ編方向で紐状に終端部８ｅ，９ｅまで分離して連結編成されている。同様に、１０、１１は装飾紐部材であり、左の腕部分５の外方に位置し、それぞれ編方向で紐状に終端部１０ｅ，１１ｅまで分離して連結編成されている。１２、１３、１４、１５は各々前記終端部８ｅ，９ｅ，１０ｅ，１１ｅから離間して設けられた短尺な装飾紐部材であり、個別に分離して形成されている。１６は、肢体筒部材の上方で緯方向に２列設けられた複数の孔部であり、１７、１８は肢体筒部材の上下に設けられた房部分であって、各地筬による鎖編とジャカード筬による編糸が鎖編に変化した状態で形成されている。１９、２０は１単位の肢体筒部材と装飾紐部材からなる経編筒編衣料の左右に隣接する別単位の経編筒編衣料の一部であり、分離ラインＣ１，Ｃ２によって各々分離して形成される。又、紙面で上下方向の編方向では、房部分１７，１８の上下に別単位の経編筒編衣料（図示せず）が連続して編成され、編成後、これらの房部分１７，１８の間でカットされて個別の単位に分離される。
【００１８】
図２において、身頃部分３、右の腕部分４、左の腕部分５、装飾紐部材８，９，１０，１１、短尺な装飾紐部材１２，１３，１４，１５の各部分はそれぞれ分離され、分離ラインＣ１，Ｃ２と房部１７，１８でカットされることで、１単位の経編筒編衣料として完成する。
【００１９】
更に、図３の様に製品化するには、図２における破線個所２１に沿って肢体筒部材の上部を外側に折り返した後、装飾紐部材８と装飾紐部材１０を、各々上下で重なった前面基布１側の孔部１６に対し左右端部より交互に縫い通しながら中央部へと進ませ、余剰の部分を結び合わせることで、リボン２２を形作ることができる。同様に、装飾紐部材９と装飾紐部材１１についても、後面基布２側の孔部１６に潜らせて挿通することで、背面でもリボンを形作ることができる。又、装飾紐部材１２，１３，１４，１５は肩部のアクセントとして設けたポイント飾りである。なお、この実施例では装飾紐部分を左右２本ずつ設けているが、むろん、１本ずつとして前側又は、後側のみのリボンとすることもできる。
【００２０】
図５，図６，図７は、本発明の経編筒編衣料の構造の別実施例についての上着であるセータを示しており、図５は編成時の生地状態を示す平面図、図６は編成後必要個所を分離した状態を示す平面図、図７は製品化時の斜視図である。図５において、２５は身頃部分、２６は右の腕部分、２７は左の腕部分であり、これら身頃部分２５、左右の腕部分２６，２７により肢体筒部材が形成されている。身頃部分２５と、左右の腕部分２６，２７とは、後に左右の装飾紐部材となる部分２８，２９を挟んでそれぞれ分離形成され、身頃部分２５の左右の縁部３０，３１では、図４で示すジャカード筬ＰＪＢ３，４により導糸された編糸によって前部基布と後部基布が接結編成され筒編に形成されている。又、左右の腕部分２６，２７も同様にジャカード筬ＰＪＢ３，４により導糸された編糸によって空洞の筒編が形成される。３２は肢体部分の下方に緯方向に設けた孔部列であり、３３は房部分である。編成に際しては、肩部分３４，３５及び襟首部分３６を形成するために、捨て部領域３７，３８を設け、身頃部分２５をその形状に沿って、第４図に示すジャカード筬ＰＪＢ３，４より導糸された編糸によって、編み綴じて肢体筒部材を構成する。
【００２１】
図６において、身頃部分２５、右の腕部分２６、左の腕部分２７、装飾紐部材２８，２９の各部分はそれぞれ分離され、１単位の経編筒編衣料として完成する。
【００２２】
図７の様に製品化するには、図６における装飾紐部材２８，２９を孔部列３２に対し、左右端部より交互に縫い通しながら中央部へと進ませ、余剰の部分を結び合わせることで、リボン３９を形作ることができる。この実施例では装飾紐部材を左右１本ずつ設けているが、むろん、２本ずつとして前側及び後側のリボンとすることもできる。
【００２３】
図８，図９，図１０は、本発明の経編筒編衣料の構造の更に他の実施例についてのスカートを示しており、図８は編成時の生地状態を示す平面図、図９は編成後必要個所を分離した状態を示す平面図、図１０は製品化時の斜視図である。図８において、４０はスカートを構成する肢体筒部材としての下肢被覆部分であり、下肢被覆部分４０は図４に示すジャカード筬ＰＪＢ３，４より導糸された編糸によって前面基布と後面基布が接結編成されることで、前述の実施例同様肢体筒部材が形成される。４１，４２は肢体筒部材の右外方と一部を接結して設けた装飾紐部材であり、４３，４４は肢体筒部材の左外方と一部を接結して設けた装飾紐部材である。４５，４６，４７，４８は、短尺な装飾紐部材であり、個別に分離して形成されており、４９は肢体筒部分の上方で緯方向に設けられた孔部であり、５０は下肢被覆部分４０と装飾紐部材４１，４２，４３，４４の下方に設けられた房部分であり、下肢被覆部分４０と房部分５０によって肢体筒部材が構成される。
【００２４】
図９において、下肢被覆部分４０、装飾紐部材４１，４２，４３，４４、短尺な装飾紐部材４５，４６，４７，４８の各部分はそれぞれ分離され、１単位のスカートとなる経編筒編衣料として完成する。
【００２５】
図１０の様に製品化するには、図９における装飾紐部材４１，４３を、前面基布に設けた孔部４９に対し左右端部より交互に縫い通しながら中央部へと進ませ、余剰の部分を結び合わせることで、リボン５１に形成できる。又、同様に装飾紐部材４６，４８についても後面基布側の孔部４９に潜らせて挿通することで、背面にもリボンを作るか、あるいは装飾紐部材４６，４８の各先端に別途バックルを取り付けて単に孔部４９に挿通させることでベルト機能を持たせることもできる。なお、短尺な装飾紐部材４５，４６，４７，４８の各部分は、スカート腰部の左右のポイント飾りとなる。このポイント飾りについては、好みに応じて最初から付けないようにすることもできる。更に、これら紐部材の先端の房は、図示してなる１単位のスカート上部の別スカートにおける下部の房部分をつなげて編成した後に、カットすることで作ることができる。
【００２６】
図１１、図１２、図１３は、装飾部材を肢体筒部材の上方側に編方向で並列して設け、この装飾部材を装飾紐部材として、肢体筒部材の孔部に挿通してなるノースリーブ型上着の例を示す。図１１は編成時の生地状態を示す平面図、図１２は編成後上着形態としての必要個所を編成生地よりカットして分離し製品化進行中の斜視図、図１３は、製品化時の斜視図である。図１１において、５３は身頃部分５２の前面基布上方側で編方向に並列して５本設けられた装飾部材としてのテープ部材であり、５４は各テープ部材５３の一端に設けた房部分である。５５は孔部であって身頃部分５２の前面基布側に複数列千鳥状に配列されてなる。５６、５７は肩の接結部であり、前面基布と後面基布が接結されて編成されている。５８は胴挿通用の開放部であり、５９、６０は、腕挿通用の開放部であり、各々前面基布と後面基布は離間して編成されている。６１、６２はポケットであり、身頃部分５２の両側縁において破線６３，６４で示すように、その一部を接結せずにポケットとなる部分を袋状に外方に突出させた状態で編成してなる。
【００２７】
図１２に示すように、構成された５本のテープ部材５３を身頃部分５２に設けた孔部５５に対し編方向で折り曲げて順次潜らせながら差し込んでいく。又、ポケット６１は表裏をひっくり返して身頃部分５２内に押し込んだ状態としており、最終的に図１３に示すように、テープ部材５３が全て孔部５５に納まり、又、ポケット６１，６２は折り返されて、身頃部分５２内に納めることで、ノースリーブ型上着としてのシャツの完成となる。
【００２８】
図１４、図１５、図１６は、装飾紐部材の一端を肢体筒部材の上側の左右縁に接結するとともに、ポケットを設けてなるスカートを示す。図１４は編成時の生地状態を示す平面図、図１５は編成後スカート形態としての必要個所を分離した状態を示す平面図、図１６は、製品化時の斜視図である。図１４において６５は身頃部分、６６は一端を身頃部分６５の上縁右側に接結編成してなる右側の装飾紐部材、６７は同じく一端を身頃部分６５上縁左側に接結編成してなる左側の装飾紐部材であり、装飾紐部材６６，６７の上下辺部には、房部６８，６９，７０を構成してなる。７１は身頃部分６５の上方に間隔をおいて設けた複数の孔部である。７２は身頃部分６５の下部縁に設けた房部分であり、７３、７４は、左右のポケットである。この実施例の場合、装飾紐部材６６，６７を生地の緯方向に設けることで、身頃部分６５の左右に編成生地中での捨て部領域７５，７６を設ける必要がある。
【００２９】
図１５において、身頃部分６５、左右の装飾紐部材６６，６７、ポケット７３，７４の必要個所を残し、捨て部領域７５，７６を含む編成生地から切り離すとともに、上下側に連なる別単位の経編筒編衣料をそれぞれ切り離すことで、１単位の完全な経編筒編衣料が得られる。
【００３０】
図１６のように製品化するには、左右の装飾紐部材６６，６７を孔部７１に対し左右端部より交互に縫い通しながら中央部へと進ませ、余剰の部分を結び合わせることで、リボン７７を形作る。ポケット７３，７４は前記実施例同様ひっくり返して、身頃部分６５内に押し込むことで内ポケットとすることができる。
【００３１】
以上説明した経編筒編衣料の構造及びその製造方法については、実施例に限定されるものでなく、経編筒編衣料において装飾部材となるべき部分が肢体筒部材の一部に接結されて編成されるものは、全て本発明の範囲に含まれることはいうまでもなく、又、装飾部材の形態についても、紐形態、テープ形態あるいはこれらを組み合わせたものにおいて、その長さ方向で一定な形状とは限らず、その幅において順次変化するものや、波状、凹凸状など種々のバリエーションのものが含まれることはいうまでもない。
【図面の簡単な説明】
【００３２】
【図１】本発明の一実施例経編筒編衣料を編成する際の生地状態を示す平面図である。
【図２】図１の実施例編成後、必要個所を分離した状態を示す平面図である。
【図３】図２の実施例から経編筒編衣料について製品化した状態を示す斜視図である。
【図４】本発明の実施例経編筒編衣料を編成する際に用いるジャカード筬を備えたダブルニードル列経編機の編成要部の概略側面図である。
【図５】本発明の別実施例経編筒編衣料を編成する際の生地状態を示す平面図である。
【図６】図５の実施例編成後、必要個所を分離した状態を示す平面図である。
【図７】図６の実施例から経編筒編衣料について製品化した状態を示す斜視図である。
【図８】本発明の更に他の実施例経編筒編衣料を編成する際の生地状態を示す平面図である。
【図９】図８の実施例編成後、必要個所を分離した状態を示す平面図である。
【図１０】図９の実施例から経編筒編衣料について製品化した状態を示す斜視図である。
【図１１】本発明の実施例経編筒編衣料における装飾部材接結形態の別例生地を編成する際の生地状態を示す平面図である。
【図１２】図１１の実施例編成後、製品化する途中の形態を示す斜視図である。
【図１３】図１１の実施例から編筒編衣料について製品化した状態を示す斜視図である。
【図１４】本発明の実施例経編筒編衣料における装飾部材接結形態の更に別例生地を編成する際の生地状態を示す平面図である。
【図１５】図１４の実施例編成後、必要個所を分離した状態を示す平面図である。
【図１６】図１５の実施例から経編筒編衣料について製品化した状態を示す斜視図である。
【符号の説明】
【００３３】
Ｆ…前部の編針列
Ｂ…後部の編針列
ＧＢ２、ＧＢ５…地筬
ＰＪＢ３、ＰＪＢ４…ジャカード筬
１…前面基布
２…後面基布
３、２５、５２、６５…身頃部分
４、２６…右の腕部分
５、２７…左の腕部分
６、７…接結部分
８、９、１０、１１、２８、２９、４１、４２、４３、４４、６６、６７…装飾紐部材
１６、４９、５５、７１…孔部
１７、１８、３３、５０、５４、７２…房部分
２２、３９、５１、７４、７７…リボン
３２…孔部列
４０…肢体筒部分
６１、６２、７３、７４…ポケット
６８、６９、７０…房部
【図１】
2006200048.tif 000003
【図２】
2006200048.tif 000004
【図３】
2006200048.tif 000005
【図４】
2006200048.tif 000006
【図５】
2006200048.tif 000007
【図６】
2006200048.tif 000008
【図７】
2006200048.tif 000009
【図８】
2006200048.tif 000010
【図９】
2006200048.tif 000011
【図１０】
2006200048.tif 000012
【図１１】
2006200048.tif 000013
【図１２】
2006200048.tif 000014
【図１３】
2006200048.tif 000015
【図１４】
2006200048.tif 000016
【図１５】
2006200048.tif 000017
【図１６】
2006200048.tif 000018